(57)【要約】【課題】本考案は、極寒冷地において、ビル等の建築物のドレン排水を排出する排水設備に関し、特に屋上や屋根からのドレンパイプの凍結を防止するドレンパイプヒーターを提供する。【解決手段】本考案のドレンパイプヒーターは、上部をドレンパイプ１に嵌合される一体成型により中央を円環状に膨出させたヒーター収容部２を有するアルミニウム製のヒーター筒３と、該ヒーター筒３の下部に連結されたトラップ部となるプラスチック製のＵ字管４と、該Ｕ字管４の他端に接続された立方体のプラスチック製のトラップ枡５とから構成され、自己温度制御型ヒーター又は紐ヒーター６がヒーター収容部２からＵ字管４、トラップ枡５を経て排水管７へ配線され、アルミ製の閉塞板を加温してヒーター筒３及びドレンパイプ１の内壁の氷結を防止すると共に、トラップ部となるＵ字管４及びトラップ枡５の凍結を防止するものである。【選択図】図１
0003140834.tif 000002
【実用新案登録請求の範囲】
【請求項１】
上部をドレンパイプに嵌合され、一体成型により中央を円環状に膨出させたヒーター収容部を有するアルミニウム製のヒーター筒と、該ヒーター筒の下部に連結されたトラップ部となるプラスチック製のＵ字管と、該Ｕ字管の他端に接続された立方体のプラスチック製のトラップ枡とから構成されることを特徴とするドレンパイプヒーター。
【請求項２】
前記ヒーター収容部からＵ字管、トラップ枡を経て排水管へ配線される自己温度制御型ヒーター又は紐ヒーターを備えることを特徴とする請求項１記載のドレンパイプヒーター。
【考案の詳細な説明】
【技術分野】
【０００１】
本考案は、ビル等の建築物のドレン排水を排出する排水設備に関し、特に屋上や屋根からのドレンパイプの凍結を防止するドレンパイプヒーターに関する。
【背景技術】
【０００２】
従来、屋上や屋根からの雨水を排出する排水管においては、寒冷期に排水管が凍結するため、自己制御型発熱体を使用して、外気温によって使用電力量が調整される融雪ダクトにより凍結を防止することが知られている（特許文献１を参照）。
この公知技術では、排水管に接続される接続ソケットを両端に嵌めた内筒に、自己制御型発熱体を巻き、外套をこれらに被せ、接続ソケットと外套を固定して構成された電力自己制御融雪ダクトである。
また、耐火性のある発熱体内蔵のダクトが付いたルーフドレインが知られている（特許文献２を参照）。
この公知技術は、上端にバルブソケットを付けた内管の外側に発熱体を巻いてこれを中間管の中に入れ、更に繊維強化モルタル管で覆い、上部にルーフドレイン、下部に繊維強化モルタル塩化ビニール継手を接続して構成された凍結防止耐火ルーフドレインである。
これらいずれの考案も発熱体の外側に外套や繊維強化モルタル管を被せるタイプであり、組立や施工が面倒であった。
そこで、本考案出願人は、組立や施工を簡単に行うことができるドレンパイプヒーターを開発した。
この考案のドレンパイプヒーターは、一体成型により中央を円環状に膨出させたヒーター収容部を形成し、上端内側にはネジ切り部を設けたヒーター筒と、前記ヒーター収容部内の外気側に耐熱断熱材を施し、該耐熱断熱材の内側に螺旋状に巻回して収納した自己温度制御型ヒーターと、該自己温度制御型ヒーターを保持するように前記ヒーター収容部の内側開口を塞ぎ、前記ヒーター筒内に挿入嵌合された閉塞板からなるものである（特許文献３を参照）。
しかし、上記本考案出願人のドレンパイプヒーターでも、極寒冷地において日中でも外気温がマイナス２０度にもなる場合には、ドレンパイプの凍結を生じる恐れがあった。
【特許文献１】実用新案登録第３０４４１２７号公報
【特許文献２】実用新案登録第３０４９５９８号公報
【特許文献３】実用新案登録第３０８９０８１号公報
【考案の開示】
【考案が解決しようとする課題】
【０００３】
そこで、本考案は、極寒冷地において、ビル等の建築物のドレン排水を排出する排水設備に関し、特に屋上や屋根からのドレンパイプの凍結を防止するドレンパイプヒーターを提供することを目的とする。
【課題を解決するための手段】
【０００４】
本考案のドレンパイプヒーターは、上部をドレンパイプに嵌合される一体成型により中央を円環状に膨出させたヒーター収容部を有するアルミニウム製のヒーター筒と、該ヒーター筒の下部に連結されたトラップ部となるプラスチック製のＵ字管と、該Ｕ字管の他端に接続された立方体のプラスチック製のトラップ枡とから構成されるものである。
さらに、前記ヒーター収容部からＵ字管、トラップ枡を経て排水管へ配線される自己温度制御型ヒーター又は紐ヒーターを備えるものである。
【考案の効果】
【０００５】
本考案のドレンパイプヒーターは、上部をドレンパイプに嵌合され、一体成型により中央を円環状に膨出させたヒーター収容部を有するアルミニウム製のヒーター筒と、該ヒーター筒の下部に連結されたトラップ部となるプラスチック製のＵ字管と、該Ｕ字管の他端に接続された立方体のプラスチック製のトラップ枡とから構成されるので、極寒冷地において日中でも外気温がマイナス２０度にもなる場合にでも、ドレンパイプの凍結を防止できる効果がある。
さらに、前記ヒーター収容部からＵ字管、トラップ枡を経て排水管へ配線される自己温度制御型ヒーター又は紐ヒーターを備えるので、ヒーター筒及びドレンパイプ内を加温して氷結を防止すると共に、トラップ部となるＵ字管及びトラップ枡の凍結を防止する効果がある。
【考案を実施するための最良の形態】
【０００６】
本考案のドレンパイプヒーターの一実施例を添付図面に基づいて、以下に説明する。
本考案のドレンパイプヒーターは、図１に示すように、上部をドレンパイプ１に嵌合される一体成型により中央を円環状に膨出させたヒーター収容部２を有するアルミニウム製のヒーター筒３と、該ヒーター筒３の下部に連結されたトラップ部となるプラスチック製のＵ字管４と、該Ｕ字管４の他端に接続された立方体のプラスチック製のトラップ枡５とから構成される。
なお、６は自己温度制御型ヒーター又は紐ヒーター、７は排水管である。
【０００７】
更に詳細に述べると、前記ヒーター筒３は、ヒーター収容部２内の外気側に遮熱材を施し、該遮熱材の内側に螺旋状に巻回した自己温度制御型ヒーター又は紐ヒーター６を収納し、さらに該自己温度制御型ヒーター又は紐ヒーター６を保持するように前記ヒーター収容部２の内側開口を塞ぐように挿入嵌合されたアルミ製の閉塞板とからなる。
なお、前記閉塞板の上下端は、シーリングを施し、ドレンパイプを流下する雨水や融雪水が前記ヒーター収容部２に浸透しないようにされている。
前記自己温度制御型ヒーター又は紐ヒーター６は、前記ヒーター収容部２からＵ字管４、トラップ枡５を経て排水管７へ配線され、外気温の低下により自己温度制御型ヒーター又は紐ヒーター６が温度上昇し、アルミ製の閉塞板を加温してヒーター筒３及びドレンパイプ１の内壁の氷結を防止すると共に、トラップ部となるＵ字管４及びトラップ枡５の凍結を防止するものである。
【０００８】
次に、本考案のドレンパイプヒーターの動作を添付図面に基づいて、以下に説明する。
ビル等の高層建築物の屋上や屋根からの雨水を排出するドレンパイプの排水口にヒーター筒３を利用して本考案のドレンパイプヒーターを接続する。
そして、図示しない建築物のコンセントに電気コードを差し込み、自己温度制御型ヒーター又は紐ヒーター６を作動可能にする。その際、自己温度制御型ヒーター又は紐ヒーター６は、外気温が高い場合は低温となっており、ヒーター筒３のアルミケースに収納されている。
外気温が低下すると、自己温度制御型ヒーター又は紐ヒーター６は温度上昇し、ヒーター収容部２の外気側に遮熱材を施しているので、ヒーター筒３のヒーター収容部２内の空間を効率よく暖めると同時に、内側のアルミ製の閉塞板を加熱するので、前記閉塞板に暖められた暖気がヒーター筒３を上昇する。
このようにして、ドレンパイプ内の空気はヒーター筒３で暖められて上昇し、ドレンパイプ中を上昇して氷結を防止し、屋上や屋根のドレン排水口から排気され、ドレン排水口も氷結するのを防止する。
【０００９】
ドレンパイプを流下した融雪水は、ヒーター筒３の閉塞板が暖められているので、ヒーター筒３下部で氷柱となることなく、トラップ部となっているＵ字管４へ流下する。
Ｕ字管４へ流下した融雪水は、トラップ部となっている低い部分に溜められるが、Ｕ字管４には自己温度制御型ヒーター又は紐ヒーター６が入っているので、滞留水は凍結することはない。
このようにして、Ｕ字管４中の滞留水により塞がれ、極低温の外気が直接ドレンパイプ１内へ侵入するのを防止する効果がある。
また、トラップ枡５の喫水線上にＵ字管４の出口が接続されるので、滞留水が詰まることなく円滑にトラップ枡５から排水管７へ排出される。
【００１０】
本考案のドレンパイプヒーターの他の実施例を添付図面に基づいて、以下に説明する。
図２に示すように、本考案のドレンパイプヒーターは、上部をドレンパイプ１に嵌合され、ヒーター収容部２内の外気側に遮熱材を施し、該遮熱材の内側に螺旋状に巻回した自己温度制御型ヒーター又は紐ヒーター６を収納し、さらに該自己温度制御型ヒーター又は紐ヒーター６を保持するように前記ヒーター収容部２の内側開口を塞ぐように挿入嵌合されたアルミ製の閉塞板とからなるヒーター筒３と、該ヒーター筒３の下部に連結されたトラップ部となるプラスチック製のＵ字管４と、該Ｕ字管４の他端に接続された立方体のプラスチック製のトラップ枡５とから構成される。
前記自己温度制御型ヒーター又は紐ヒーター６は、外気温の低下により自己温度制御型ヒーター又は紐ヒーター６が作動し、アルミ製の閉塞板を加温してヒーター筒３及びドレンパイプ１の内壁の氷結を防止するものである。
なお、前記自己温度制御型ヒーター又は紐ヒーター６は、ヒーター収容部２からＵ字管４、トラップ枡５を経て排水管７への配線が省略されている。
【図面の簡単な説明】
【００１１】
【図１】本考案のドレンパイプヒーターの概略説明図である。
【図２】本考案のドレンパイプヒーターの他の実施例の概略説明図である。
【符号の説明】
【００１２】
１  ドレンパイプ
２  ヒーター収容部
３  ヒーター筒
４  Ｕ字管
５  トラップ枡
６  自己温度制御型ヒーター又は紐ヒーター
７  排水管
【図１】
0003140834.tif 000003
【図２】
0003140834.tif 000004